(57)【要約】【課題】組立性を向上可能な電磁アクチュエータを提供する。【解決手段】一つの実施形態に係る電磁アクチュエータは、ヨークと、第１のアーマチュアと、第２のアーマチュアと、磁石と、固定部とを備える。前記ヨークは、第１の当接面と、第１の吸引面と、を有する。前記第１のアーマチュアは、第１の方向に前記第１の当接面と向かい合う第２の当接面と、前記第１の方向と交差する第２の方向に向く第１の周面と、を有する。前記第２のアーマチュアは、前記第１の方向に前記第１の吸引面と向かい合う第２の吸引面と、前記第１の周面に向く第２の周面と、を有し、前記第１のアーマチュアと一体的に移動可能である。前記磁石は、前記第２のアーマチュアを吸引することが可能である。前記固定部は、前記第１の周面と前記第２の周面との間に位置し、前記第１のアーマチュアと前記第２のアーマチュアとが前記第１の方向に相対的に移動することを制限する。【選択図】図１
2019029222.tif 000002
【特許請求の範囲】
【請求項１】
第１の当接面と、第１の吸引面と、を有するヨークと、
第１の方向において前記第１の当接面と向かい合う第２の当接面と、前記第１の方向と交差する第２の方向に向く第１の周面と、を有し、前記ヨークの内部で前記第１の方向に移動可能な第１のアーマチュアと、
前記第１の方向において前記第１の吸引面と向かい合う第２の吸引面と、前記第１の周面に向く第２の周面と、を有し、前記第２の当接面が前記第１の当接面に接触する閉路位置と、前記第２の当接面が前記第１の当接面から離間するとともに前記閉路位置よりも前記第２の吸引面が前記第１の吸引面から離間した開路位置と、に前記第１のアーマチュアと一体的に移動可能である第２のアーマチュアと、
前記ヨークに設けられ、前記閉路位置に位置する前記第２のアーマチュアの前記第２の吸引面を前記第１の吸引面に吸引することが可能な磁石と、
少なくとも一部が前記第１の周面と前記第２の周面との間に位置し、前記第１のアーマチュアと前記第２のアーマチュアとが前記第１の方向に相対的に移動することを制限する固定部と、
を具備する電磁アクチュエータ。
【請求項２】
前記固定部は、接着剤を含む、請求項１の電磁アクチュエータ。
【請求項３】
前記固定部は、少なくとも一部が前記第１の周面と前記第２の周面との間に介在する楔を含む、請求項１の電磁アクチュエータ。
【請求項４】
前記固定部は、前記第１の周面に設けられた第１のネジ部と、前記第２の周面に設けられ、前記第１のアーマチュアと前記第２のアーマチュアとが前記第１の方向に相対的に移動することを制限するように前記第１のネジ部に嵌め合わされる第２のネジ部と、を有する、
請求項１の電磁アクチュエータ。
【請求項５】
第１の当接面と、第１の吸引面と、を有するヨークと、
第１の方向において前記第１の当接面と向かい合う第２の当接面と、前記第１の方向に延びる第１のネジ部と、を有し、前記ヨークの内部で前記第１の方向に移動可能な第１のアーマチュアと、
前記第１の方向において前記第１の吸引面と向かい合う第２の吸引面と、前記第１の方向に延びるとともに前記第１のネジ部に嵌め合わされた第２のネジ部と、を有し、前記第２の当接面が前記第１の当接面に接触する閉路位置と、前記第２の当接面が前記第１の当接面から離間するとともに前記閉路位置よりも前記第２の吸引面が前記第１の吸引面から離間した開路位置と、に前記第１のアーマチュアと一体的に移動可能な第２のアーマチュアと、
前記ヨークに設けられ、前記閉路位置に位置する前記第２のアーマチュアの前記第２の吸引面を前記第１の吸引面に吸引することが可能な磁石と、
を具備する電磁アクチュエータ。
【請求項６】
前記ヨークは、前記第１の当接面に開く第１の孔が設けられ、
前記第１のアーマチュアは、前記第１の孔に通されるとともに前記第１のネジ部が設けられたロッドと、前記第２の当接面を有するとともに前記ロッドが通る第２の孔が設けられた当接部材と、前記第１のネジ部に嵌め合わされた第３のネジ部を有するとともに前記当接部材を前記ロッドに固定するナットと、を有する、
請求項５の電磁アクチュエータ。
【請求項７】
前記ナットは、前記第１の方向と交差する第２の方向に向く第３の周面を有し、
前記第２のアーマチュアは、前記第３の周面に向く第４の周面を有する、
請求項６の電磁アクチュエータ。
【請求項８】
前記第１のアーマチュアと前記第２のアーマチュアとの間に介在し、前記第１のアーマチュアと前記第２のアーマチュアとが前記第１の方向に相対的に移動することを制限する固定部、をさらに具備する請求項５乃至請求項７のいずれか一つの電磁アクチュエータ。
【請求項９】
第３の当接面と、第３の吸引面と、を有するアーマチュアと、
第１の方向において前記第３の吸引面と向かい合う第４の吸引面と、前記第１の方向と交差する第２の方向に向く第５の周面と、を有し、前記アーマチュアを収容するとともに、前記アーマチュアと相対的に前記第１の方向に移動可能な第１のヨークと、
前記第１の方向において前記第３の当接面と向かい合う第４の当接面と、前記第５の周面に向く第６の周面と、を有し、前記第４の当接面が前記第３の当接面に接触する閉路位置と、前記第４の当接面が前記第３の当接面から離間するとともに前記閉路位置よりも前記第４の吸引面が前記第３の吸引面から離間した開路位置と、に前記第１のヨークと一体的に前記アーマチュアに対して移動可能な第２のヨークと、
前記第１のヨークに設けられ、前記閉路位置に位置する前記第１のヨークの前記第４の吸引面に、前記アーマチュアの前記第３の吸引面を吸引することが可能な磁石と、
少なくとも一部が前記第５の周面と前記第６の周面との間に位置し、前記第１のヨークと前記第２のヨークとが前記第１の方向に相対的に移動することを制限する固定部と、
を具備する電磁アクチュエータ。
【請求項１０】
第３の当接面と、第３の吸引面と、を有するアーマチュアと、
第１の方向において前記第３の吸引面と向かい合う第４の吸引面と、前記第１の方向に延びる第４のネジ部と、を有し、前記アーマチュアを収容するとともに、前記アーマチュアと相対的に前記第１の方向に移動可能な第１のヨークと、
前記第１の方向において前記第３の当接面と向かい合う第４の当接面と、前記第１の方向に延びるとともに前記第４のネジ部に嵌め合わされた第５のネジ部と、を有し、前記第４の当接面が前記第３の当接面に接触する閉路位置と、前記第４の当接面が前記第３の当接面から離間するとともに前記閉路位置よりも前記第４の吸引面が前記第３の吸引面から離間した開路位置と、に前記第１のヨークと一体的に前記アーマチュアに対して移動可能な第２のヨークと、
前記第１のヨークに設けられ、前記閉路位置に位置する前記第１のヨークの前記第４の吸引面に、前記アーマチュアの前記第３の吸引面を吸引することが可能な磁石と、
を具備する電磁アクチュエータ。
【請求項１１】
請求項１乃至請求項８のいずれか一つの電磁アクチュエータと、
第１の電極と、
前記第１のアーマチュアに接続され、前記第２のアーマチュアが前記閉路位置にあるときに前記第１の電極に接触し、前記第２のアーマチュアが前記開路位置にあるときに前記第１の電極から離間する第２の電極と、
を具備する真空遮断器。
【請求項１２】
請求項９又は請求項１０の電磁アクチュエータと、
第１の電極と、
前記アーマチュアに接続され、前記第２のヨークが前記閉路位置にあるときに前記第１の電極に接触し、前記第２のヨークが前記開路位置にあるときに前記第１の電極から離間する第２の電極と、
を具備する真空遮断器。
【発明の詳細な説明】
【技術分野】
【０００１】
本発明の実施形態は、電磁アクチュエータ及び真空遮断器に関する。
【背景技術】
【０００２】
電磁アクチュエータは、ヨークと、ヨークに対して移動可能なアーマチュアと、アーマチュアを移動及び保持可能な磁石とを備える。例えば、電磁アクチュエータに搭載されたコイルが磁束を増減させることで、アーマチュアがヨークに対して移動する。真空遮断器に搭載された電磁アクチュエータは、アーマチュアを移動させることで、真空バルブを開閉する。
【先行技術文献】
【特許文献】
【０００３】
【特許文献１】特開平１１−２５２７２６号公報
【特許文献２】特開２００２−２７０４２３号公報
【特許文献３】特開２００３−３３３７１５号公報
【特許文献４】特開２００４−１４６３３６号公報
【特許文献５】特開２０１０−２２５６６６号公報
【発明の概要】
【発明が解決しようとする課題】
【０００４】
電磁アクチュエータは複数の部品を有し、当該複数の部品にはそれぞれ寸法公差が指定される。一方、電磁アクチュエータの磁気回路が、部品と部品との間の隙間を含むことがある。それぞれの部品の公差内における寸法のばらつきは許容されるが、当該寸法のばらつきにより生じる上記隙間のばらつきは、電磁アクチュエータが発生させる力に大きく影響してしまう。
【課題を解決するための手段】
【０００５】
一つの実施形態に係る電磁アクチュエータは、ヨークと、第１のアーマチュアと、第２のアーマチュアと、磁石と、固定部とを備える。前記ヨークは、第１の当接面と、第１の吸引面と、を有する。前記第１のアーマチュアは、第１の方向において前記第１の当接面と向かい合う第２の当接面と、前記第１の方向と交差する第２の方向に向く第１の周面と、を有し、前記ヨークの内部で前記第１の方向に移動可能である。前記第２のアーマチュアは、前記第１の方向において前記第１の吸引面と向かい合う第２の吸引面と、前記第１の周面に向く第２の周面と、を有し、前記第２の当接面が前記第１の当接面に接触する閉路位置と、前記第２の当接面が前記第１の当接面から離間するとともに前記閉路位置よりも前記第２の吸引面が前記第１の吸引面から離間した開路位置と、に前記第１のアーマチュアと一体的に移動可能である。前記磁石は、前記ヨークに設けられ、前記閉路位置に位置する前記第２のアーマチュアの前記第２の吸引面を前記第１の吸引面に吸引することが可能である。前記固定部は、少なくとも一部が前記第１の周面と前記第２の周面との間に位置し、前記第１のアーマチュアと前記第２のアーマチュアとが前記第１の方向に相対的に移動することを制限する。
【図面の簡単な説明】
【０００６】
【図１】図１は、第１の実施形態に係る真空遮断器を模式的に示す断面図である。
【図２】図２は、第１の実施形態の電磁アクチュエータの一部を示す断面図である。
【図３】図３は、第２の実施形態に係る電磁アクチュエータの一部を示す断面図である。
【図４】図４は、第３の実施形態に係る真空遮断器を模式的に示す断面図である。
【図５】図５は、第３の実施形態の電磁アクチュエータの一部を示す断面図である。
【図６】図６は、第４の実施形態に係る真空遮断器を模式的に示す断面図である。
【図７】図７は、第５の実施形態に係る真空遮断器を模式的に示す断面図である。
【図８】図８は、第５の実施形態の電磁アクチュエータの一部を示す断面図である。
【発明を実施するための形態】
【０００７】
（第１の実施形態）
以下に、第１の実施形態について、図１及び図２を参照して説明する。なお、本明細書において、実施形態に係る構成要素及び当該要素の説明について、複数の表現が記載されることがある。複数の表現がされた構成要素及び説明は、記載されていない他の表現がされても良い。さらに、複数の表現がされない構成要素及び説明も、記載されていない他の表現がされても良い。
【０００８】
図１は、第１の実施形態に係る真空遮断器１０を模式的に示す断面図である。真空遮断器１０は、電磁アクチュエータ１１と、開路バネ１２と、真空バルブ１３とを有する。真空バルブ１３は、開閉器とも称され得る。真空遮断器１０は、他の装置及び他の部品を有しても良い。
【０００９】
電磁アクチュエータ１１は、第１の中心軸Ａｘ１に沿って延びる略柱状の装置である。電磁アクチュエータ１１は、他の形状に形成されても良い。電磁アクチュエータ１１は、ヨーク２１と、磁石２２と、アーマチュア２３と、閉コイル２４と、開コイル２５とを有する。
【００１０】
以下、第１の中心軸Ａｘ１に沿う方向を軸方向、第１の中心軸Ａｘ１と直交する方向を径方向、第１の中心軸Ａｘ１まわりに回転する方向を周方向と称する。軸方向は、第１の方向の一例である。径方向は、第２の方向の一例である。なお、第２の方向は、軸方向と０°より大きく且つ９０°よりも小さい角度で交差する方向であっても良い。
【００１１】
また、説明の便宜上、各図の矢印Ｄで示す軸方向のうち一方向を前方と称し、矢印Ｄの反対側を後方と称する。なお、当該前方及び後方の呼称は、真空遮断器１０及び電磁アクチュエータ１１の配置及び方向を限定するものではない。
【００１２】
ヨーク２１及びアーマチュア２３は、開路位置Ｐｏと、閉路位置Ｐｃとに、軸方向に相対移動可能である。図１は、第１の中心軸Ａｘ１の左側に開路位置Ｐｏのヨーク２１及びアーマチュア２３を示し、右側に閉路位置Ｐｃのヨーク２１及びアーマチュア２３を示す。
【００１３】
ヨーク２１は、第１の部材３１と、第２の部材３２と、第３の部材３３と、第４の部材３４と、第５の部材３５と、第６の部材３６とを有する。第１乃至第６の部材３１〜３６は、磁性体によって作られる。
【００１４】
第１の部材３１は、径方向に広がる略円盤状に形成される。第１の部材３１に、第１の挿通孔３１ａが設けられる。第１の挿通孔３１ａは、軸方向に延びて第１の部材３１を貫通する孔である。
【００１５】
第２の部材３２は、軸方向に延びる略円柱状に形成される。第２の部材３２は、第１の部材３１から後方に延びるように、第１の部材３１に固定される。第２の部材３２は、当接面３２ａを有する。当接面３２ａは、第１の当接面の一例である。当接面３２ａは、軸方向である後方に向く略平坦な面である。なお、当接面３２ａは、この例に限らず、例えば、曲面であっても良いし、凹凸を有しても良い。
【００１６】
第２の部材３２に、第２の挿通孔３２ｂが設けられる。第２の挿通孔３２ｂは、第１の孔の一例である。第２の挿通孔３２ｂは、軸方向に延びて第２の部材３２を貫通する孔である。第２の挿通孔３２ｂは、当接面３２ａに開口するとともに、第１の挿通孔３１ａに連通する。
【００１７】
第３の部材３３は、軸方向に延びる略円筒状に形成される。第３の部材３３は、第１の部材３１から後方に延びるように、第１の部材３１に固定される。第３の部材３３は、径方向に間隔を介して第２の部材３２を囲む。
【００１８】
第４の部材３４は、周方向に延びる略円環状に形成される。第４の部材３４は、第３の部材３３の後方の端部から径方向内側に突出するように、第３の部材３３に固定される。このため、第３の部材３３は、第１の部材３１と第４の部材３４との間に位置する。
【００１９】
第５の部材３５は、軸方向に延びる略円筒状に形成される。第５の部材３５は、第４の部材３４の径方向外側の端部から後方に延びるように、第４の部材３４に固定される。第５の部材３５の後方の端部は、例えば、蓋によって塞がれる。
【００２０】
第６の部材３６は、周方向に延びる略円環状に形成される。第６の部材３６は、第４の部材３４に、磁石２２を介して接続される。第６の部材３６は、径方向に間隔を介して第５の部材３５に囲まれる。
【００２１】
第６の部材３６は、吸引面３６ａを有する。吸引面３６ａは、第１の吸引面の一例である。吸引面３６ａは、軸方向である後方に向く略平坦な面である。なお、吸引面３６ａは、この例に限らず、例えば、曲面であっても良いし、凹凸を有しても良い。
【００２２】
磁石２２は、例えば永久磁石である。磁石２２は、周方向に延びる略円環状に形成される。第１の中心軸Ａｘ１は、磁石２２の中心軸である。なお、第１の中心軸Ａｘ１はこの例に限らない。
【００２３】
磁石２２は、軸方向において、第４の部材３４と、第６の部材３６との間に設けられる。磁石２２は、例えば接着剤により、第４の部材３４及び第６の部材３６に固定される。このように、磁石２２は、ヨーク２１に設けられる。
【００２４】
アーマチュア２３は、ヨーク２１の内部に収容され、第１のアーマチュア４１と、第２のアーマチュア４２とを有する。第１のアーマチュア４１は、ロッド４５と、当接部材４６とを有する。
【００２５】
ロッド４５は、非磁性体によって作られ、軸方向に延びる略円柱状に形成される。ロッド４５は、第１の中心軸Ａｘ１に沿って延びる。ロッド４５は、第１の挿通孔３１ａ及び第２の挿通孔３２ｂを通り、ヨーク２１の外部に突出する。
【００２６】
当接部材４６は、磁性体によって作られ、軸方向に延びる略円柱状に形成される。当接部材４６は、当接面４６ａと、端面４６ｂと、第１の外周面４６ｃとを有する。当接面４６ａは、第２の当接面の一例である。第１の外周面４６ｃは、第１の周面の一例である。
【００２７】
当接面４６ａは、軸方向である前方に向く略平坦な面である。なお、当接面４６ａは、この例に限らず、例えば、曲面であっても良いし、凹凸を有しても良い。当接面４６ａは、軸方向において、ヨーク２１の当接面３２ａと向かい合う。ロッド４５は、当接面４６ａから前方に延びるように、当接部材４６に固定される。
【００２８】
端面４６ｂは、当接面４６ａの反対側に位置し、後方に向く面である。第１の外周面４６ｃは、当接面４６ａの縁と端面４６ｂの縁との間に設けられる。第１の外周面４６ｃは、軸方向において、当接面４６ａの縁と端面４６ｂの縁との間の全域に設けられても良いし、当接面４６ａの縁と端面４６ｂの縁との間の一部に設けられても良い。
【００２９】
第１の外周面４６ｃは、軸方向に延びるとともに、径方向外側に向く略円筒状の面である。第１の外周面４６ｃの外径は略一定である。なお、第１の外周面４６ｃは、例えば、テーパ状のような他の形状に形成されても良い。
【００３０】
第２のアーマチュア４２は、磁性体によって作られ、周方向に延びる略円環状に形成される。このため、第２のアーマチュア４２の内側に、開口４７が設けられる。第２のアーマチュア４２は、吸引面４２ａと、端面４２ｂと、第１の内周面４２ｃと、を有する。吸引面４２ａは、第２の吸引面の一例である。第１の内周面４２ｃは、第２の周面の一例である。
【００３１】
吸引面４２ａは、軸方向である前方に向く略平坦な面である。なお、吸引面４２ａは、この例に限らず、例えば、曲面であっても良いし、凹凸を有しても良い。吸引面４２ａは、軸方向において、ヨーク２１の吸引面３６ａと向かい合う。端面４２ｂは、吸引面４２ａの反対側に位置し、後方に向く面である。
【００３２】
第１の内周面４２ｃは、吸引面４２ａの内周の縁と、端面４２ｂの内周の縁と、の間に設けられる。第１の内周面４２ｃは、軸方向において、吸引面４２ａの縁と端面４２ｂの縁との間の全域に設けられても良いし、吸引面４２ａの縁と端面４２ｂの縁との間の一部に設けられても良い。第１の内周面４２ｃは、開口４７を規定する。
【００３３】
第１の内周面４２ｃは、軸方向に延びるとともに、径方向内側に向く略円筒状の面である。第１の内周面４２ｃの内径は略一定である。なお、第１の内周面４２ｃは、例えば、テーパ状のような他の形状に形成されても良い。
【００３４】
略円環状の第２のアーマチュア４２の内側に、略円柱状の当接部材４６が嵌められる。言い換えると、第２のアーマチュア４２に設けられた開口４７に、当接部材４６が嵌められる。このため、第１の内周面４２ｃは、当接部材４６の第１の外周面４６ｃに向く。第１の内周面４２ｃの内径は、例えば、第１の外周面４６ｃの外径よりも僅かに大きい。
【００３５】
図２は、第１の実施形態の電磁アクチュエータ１１の一部を示す断面図である。図２に示すように、電磁アクチュエータ１１は、複数の楔４８を有する。楔４８は、固定部の一例である。
【００３６】
複数の楔４８は、第１のアーマチュア４１の第１の外周面４６ｃと、第２のアーマチュア４２の第１の内周面４２ｃとの間に、前方と後方とから挿し込まれる。このため、楔４８の少なくとも一部は、第１の外周面４６ｃと第１の内周面４２ｃとの間に介在する。
【００３７】
楔４８は、前方と後方とから挿し込まれることで、第１の外周面４６ｃ及び第１の内周面４２ｃを、略径方向に押す。このため、楔４８と第１の外周面４６ｃ及び第１の内周面４２ｃとの間に発生する摩擦力により、楔４８は、第１のアーマチュア４１と第２のアーマチュア４２とが少なくとも軸方向に相対的に移動することを制限する。
【００３８】
楔４８によって、第１のアーマチュア４１が第２のアーマチュア４２に固定される。これにより、第１のアーマチュア４１と第２のアーマチュア４２とが、ヨーク２１の内部で軸方向に一体的に移動可能となる。
【００３９】
図１に示すように、閉路位置Ｐｃにおいて、第１のアーマチュア４１の当接面４６ａは、ヨーク２１の当接面３２ａに接触する。さらに、閉路位置Ｐｃにおいて、第２のアーマチュア４２の吸引面４２ａは、ヨーク２１の吸引面３６ａから、軸方向に僅かに離間する。すなわち、閉路位置Ｐｃの吸引面４２ａと吸引面３６ａとの間に、空隙Ｇが設けられる。空隙Ｇは、閉路位置Ｐｃにおけるヨーク２１及びアーマチュア２３に設けられる磁気回路に含まれる。
【００４０】
空隙Ｇが設けられることにより、アーマチュア２３が開路位置Ｐｏから閉路位置Ｐｃへ移動するときに、磁石２２に荷重が作用することが抑制される。なお、空隙Ｇが設けられず、吸引面４２ａが吸引面３６ａに接触しても良い。
【００４１】
開路位置Ｐｏにおいて、第１のアーマチュア４１の当接面４６ａは、ヨーク２１の当接面３２ａから軸方向に離間する。さらに、開路位置Ｐｏにおいて、第２のアーマチュア４２の吸引面４２ａは、ヨーク２１の吸引面３６ａから軸方向に離間する。
【００４２】
軸方向において、開路位置Ｐｏの吸引面４２ａと吸引面３６ａとの間の距離Ｌ１は、閉路位置Ｐｃの吸引面４２ａと吸引面３６ａとの間の空隙Ｇの長さＬ２よりも長い。すなわち、開路位置Ｐｏは、閉路位置Ｐｃよりも吸引面４２ａが吸引面３６ａから離間した、ヨーク２１とアーマチュア２３との相対的な位置である。
【００４３】
磁石２２は、磁性体であるとともに吸引面３６ａを有するヨーク２１の第６の部材３６に固定される。このため、磁石２２は、第２のアーマチュア４２の吸引面４２ａを、ヨーク２１の吸引面３６ａに吸引する。磁石２２は、閉路位置Ｐｃに位置する第２のアーマチュア４２の吸引面４２ａを吸引面３６ａに吸引することで、アーマチュア２３を閉路位置Ｐｃに保持できる。
【００４４】
閉コイル２４及び開コイル２５は、軸方向に延びる略円筒状に形成される。閉コイル２４及び開コイル２５は、例えば、軸方向に並べられ、ヨーク２１の内部に収容される。閉コイル２４及び開コイル２５は、軸方向において第１の部材３１と第４の部材３４との間に位置するとともに、径方向において第２の部材３２と第３の部材３３との間に位置する。閉コイル２４及び開コイル２５は、励磁されることで、例えば磁石２２により電磁アクチュエータ１１内に生じている磁束を増減させる。
【００４５】
開路バネ１２は、電磁アクチュエータ１１の外部で、ロッド４５に接続される。開路バネ１２は、ロッド４５に間接的に接続されても良い。開路バネ１２は、ロッド４５に弾性力を作用させる。
【００４６】
開路バネ１２は、例えば、ロッド４５を後方に押す。開路バネ１２がロッド４５を押す力は、磁石２２が開路位置Ｐｏに位置する第２のアーマチュア４２の吸引面４２ａをヨーク２１の吸引面３６ａに吸引する力よりも大きい。このため、開路バネ１２は、アーマチュア２３を開路位置Ｐｏに保持できる。
【００４７】
さらに、開路バネ１２は、アーマチュア２３が閉路位置Ｐｃから開路位置Ｐｏへ素早く移動することを補助する。なお、開路バネ１２が設けられず、磁束によりアーマチュア２３が開路位置Ｐｏへ移動させられても良い。
【００４８】
真空バルブ１３は、固定電極５１と、可動電極５２と、真空容器５３とを有する。固定電極５１は、第１の電極の一例である。可動電極５２は、第２の電極の一例である。図１は、真空容器５３を二点鎖線で模式的に示す。
【００４９】
固定電極５１及び可動電極５２は、気密に封止された真空容器５３の内部に収容される。固定電極５１は、真空容器５３に固定される。可動電極５２は、第２の中心軸Ａｘ２に沿って、固定電極５１に対し近づき又は遠ざかることが可能である。
【００５０】
可動電極５２は、例えば、機構を介して第１のアーマチュア４１のロッド４５に接続され、アーマチュア２３に連動して固定電極５１に対し移動する。すなわち、電磁アクチュエータ１１は、ロッド４５により可動電極５２を操作する。
【００５１】
可動電極５２は、アーマチュア２３が閉路位置Ｐｃにあるときに固定電極５１に接触し、アーマチュア２３が開路位置Ｐｏにあるときに固定電極５１から離間する。このため、真空バルブ１３は、アーマチュア２３が閉路位置Ｐｃにあるときに通電可能な閉路状態Ｓｃとなり、アーマチュア２３が開路位置Ｐｏにあるときに電流を遮断する開路状態Ｓｏとなる。
【００５２】
以上の真空遮断器１０において、真空バルブ１３を閉路状態Ｓｃとするとき、閉コイル２４が励磁される。これにより、磁石２２の磁束に閉コイル２４の磁束が付加され、第２のアーマチュア４２の吸引面４２ａをヨーク２１の吸引面３６ａに吸引する力は、開路バネ１２がロッド４５を押す力よりも大きくなる。
【００５３】
ヨーク２１の吸引面３６ａが第２のアーマチュア４２の吸引面４２ａを吸引することで、アーマチュア２３がヨーク２１に対し、開路位置Ｐｏから閉路位置Ｐｃに移動する。閉コイル２４の励磁が解除されても、磁石２２がアーマチュア２３を閉路位置Ｐｃに保持する。
【００５４】
一方、真空バルブ１３を開路状態Ｓｏとするとき、開コイル２５が励磁される。これにより、磁石２２の磁束が開コイル２５の磁束に相殺され、第２のアーマチュア４２の吸引面４２ａをヨーク２１の吸引面３６ａに吸引する力は、開路バネ１２がロッド４５を押す力よりも小さくなる。
【００５５】
開路バネ１２がロッド４５を押すことで、アーマチュア２３がヨーク２１に対し、閉路位置Ｐｃから開路位置Ｐｏに移動する。開コイル２５の励磁が解除されても、開路バネ１２がアーマチュア２３を開路位置Ｐｏに保持する。
【００５６】
磁石２２が閉路位置Ｐｃに位置する第２のアーマチュア４２の吸引面４２ａを吸引面３６ａに吸引する力は、軸方向における空隙Ｇの長さＬ２に大きく影響される。空隙Ｇの長さＬ２は、電磁アクチュエータ１１の組立時に、例えば以下のように調整される。なお、空隙Ｇの長さＬ２の調整方法は、以下の例に限らない。
【００５７】
まず、ヨーク２１と、磁石２２と、閉コイル２４と、開コイル２５とが組み立てられる。次に、ロッド４５を第１の挿通孔３１ａ及び第２の挿通孔３２ｂに通すように、第１のアーマチュア４１をヨーク２１の内部に配置する。第１のアーマチュア４１の当接面４６ａは、ヨーク２１の当接面３２ａに接触させられる。
【００５８】
次に、当接部材４６の第１の外周面４６ｃに、略円環状の第２のアーマチュア４２が嵌められる。このとき、楔４８が無いため、第２のアーマチュア４２は第１のアーマチュア４１に対し軸方向に移動可能である。
【００５９】
第２のアーマチュア４２は、軸方向において、第１のアーマチュア４１に対し、吸引面４２ａと吸引面３６ａとの間の空隙Ｇが所定の長さＬ２となる位置に配置される。この状態で、当接部材４６の第１の外周面４６ｃ又は第２のアーマチュア４２の第１の内周面４２ｃに、例えばケガキ針により第１のアーマチュア４１と第２のアーマチュア４２との相対的な位置を記録する。
【００６０】
次に、ヨーク２１の外で、上記記録に基づき第１のアーマチュア４１と第２のアーマチュア４２とを配置する。この状態で、第１の外周面４６ｃと第１の内周面４２ｃとの間に複数の楔４８を挿し込む。これにより、第１のアーマチュア４１と第２のアーマチュア４２とが相対的に移動することが制限される。
【００６１】
次に、楔４８により第１のアーマチュア４１と第２のアーマチュア４２とが互いに固定された状態で、アーマチュア２３をヨーク２１の内部に配置する。これにより、空隙Ｇの長さＬ２は、電磁アクチュエータ１１の種々の部品の寸法のばらつきに影響されることなく、所望の長さに設定される。
【００６２】
以上説明された第１の実施形態に係る真空遮断器１０において、第２のアーマチュア４２の第１の内周面４２ｃは、径方向に向く第１のアーマチュア４１の第１の外周面４６ｃに向く。楔４８は、第１の外周面４６ｃと第１の内周面４２ｃとの間に位置し、第１のアーマチュア４１と第２のアーマチュア４２とが少なくとも軸方向に相対的に移動することを制限する。すなわち、第１の外周面４６ｃと第１の内周面４２ｃとは、径方向に向くことで、軸方向に相対的に移動可能であるが、楔４８により当該軸方向における相対移動を制限されている。当該構成によれば、電磁アクチュエータ１１の組立時に、楔４８により第１のアーマチュア４１と第２のアーマチュア４２との相対的な移動を制限する位置（取付位置）を調整し、閉路位置Ｐｃにおける吸引面４２ａと吸引面３６ａとの間の空隙Ｇの長さＬ２を容易に調整することができる。
【００６３】
例として、当接部材４６の端面４６ｂに円盤状の第２のアーマチュア４２を軸方向から接合する場合を考える。この場合、第１のアーマチュア４１と第２のアーマチュア４２とが軸方向に離間することになり、軸方向における第１のアーマチュア４１に対する第２のアーマチュア４２の位置を、ケガキ針のような道具で記録することが困難である。このため、例えば、電磁アクチュエータ１１を一度組み立て、空隙Ｇの長さＬ２を測定し、当該測定結果に基づいて電磁アクチュエータ１１の解体と再組立てとを行うことで、空隙Ｇの長さＬ２を調整することが可能かもしれない。
【００６４】
しかし、本実施形態の電磁アクチュエータ１１は、径方向に第１の外周面４６ｃと第１の内周面４２ｃとが向かい合う。このため、例えばケガキ針により、第１の外周面４６ｃ又は第１の内周面４２ｃに、軸方向における第１のアーマチュア４１に対する第２のアーマチュア４２の位置を記録することが可能である。従って、電磁アクチュエータ１１の解体及び再組立てのような後戻りを伴うことなく、空隙Ｇの長さＬ２を容易に調整することができる。以上により、個々の部品の寸法にばらつきが生じたとしても、電磁アクチュエータ１１の組立時に第１のアーマチュア４１に対する第２のアーマチュア４２の位置を調整することで、空隙Ｇの長さＬ２を容易に調整することができる。これにより、電磁アクチュエータ１１の組立性が向上する。
【００６５】
少なくとも一部が第１の外周面４６ｃと第１の内周面４２ｃとの間に介在する楔４８が、第１のアーマチュア４１と第２のアーマチュア４２とが少なくとも軸方向に相対的に移動することを制限する。これにより、楔４８を第１の外周面４６ｃと第１の内周面４２ｃとの間に挿し込むだけで、第１のアーマチュア４１と第２のアーマチュア４２との取付位置を容易に調整できる。
【００６６】
（第２の実施形態）
以下に、第２の実施形態について、図３を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００６７】
図３は、第２の実施形態に係る電磁アクチュエータ１１の一部を示す断面図である。図３に示すように、第２の実施形態において、第１の外周面４６ｃと第１の内周面４２ｃとの間に、楔４８の代わりに接着剤６１が設けられる。接着剤６１は、固定部の一例である。なお、第１の外周面４６ｃと第１の内周面４２ｃとの間に、楔４８と接着剤６１とが両方設けられても良い。
【００６８】
接着剤６１は、第１のアーマチュア４１の第１の外周面４６ｃと、第２のアーマチュア４２の第１の内周面４２ｃとの間に設けられ、第１の外周面４６ｃと第１の内周面４２ｃとを互いに接着する。なお、接着剤６１は第１の外周面４６ｃと第１の内周面４２ｃとの間に完全に充填されなくても良く、少なくとも一部が第１の外周面４６ｃと第１の内周面４２ｃとの間に位置すれば良い。
【００６９】
以上説明された第２の実施形態の真空遮断器１０において、接着剤６１が、第１のアーマチュア４１と第２のアーマチュア４２とが少なくとも軸方向に相対的に移動することを制限する。これにより、接着剤６１を供給するだけで、第１のアーマチュア４１と第２のアーマチュア４２との取付位置を容易に調整できる。
【００７０】
（第３の実施形態）
以下に、第３の実施形態について、図４及び図５を参照して説明する。図４は、第３の実施形態に係る真空遮断器１０を模式的に示す断面図である。図５は、第３の実施形態の電磁アクチュエータ１１の一部を示す断面図である。
【００７１】
図４に示すように、第３の実施形態において、アーマチュア２３にネジ部６５が設けられる。ネジ部６５は、固定部の一例である。ネジ部６５は、雄ネジ部６５ａと、第１の雌ネジ部６５ｂとを有する。雄ネジ部６５ａは、第１のネジ部の一例である。第１の雌ネジ部６５ｂは、第２のネジ部の一例である。
【００７２】
雄ネジ部６５ａは、当接部材４６の第１の外周面４６ｃに設けられ、軸方向に延びる。例えば、雄ネジ部６５ａは、第１の外周面４６ｃの窪んだ部分４６ｃａに設けられる。窪んだ部分４６ｃａは、第１の外周面４６ｃの他の部分４６ｃｂよりも外径が小さい部分である。雄ネジ部６５ａのネジ山の外径は、他の部分４６ｃｂの外径と略等しい。なお、雄ネジ部６５ａは、一様な外径を有する第１の外周面４６ｃからネジ山が突出するように設けられても良い。
【００７３】
第１の雌ネジ部６５ｂは、第２のアーマチュア４２の第１の内周面４２ｃに設けられ、軸方向に延びる。第１の雌ネジ部６５ｂは、雄ネジ部６５ａに嵌め合わされる。これにより、雄ネジ部６５ａと第１の雌ネジ部６５ｂとの相対的な回転が無い場合、第１のアーマチュア４１と第２のアーマチュア４２とが軸方向に相対的に移動することが制限される。すなわち、第１の外周面４６ｃと第１の内周面４２ｃとの間に位置する雄ネジ部６５ａと第１の雌ネジ部６５ｂとが、第１のアーマチュア４１と第２のアーマチュア４２とが軸方向に相対的に移動することを制限する。
【００７４】
図５に示すように、第１の外周面４６ｃの窪んだ部分４６ｃａに、溝６７が設けられる。溝６７は、例えば、当接部材４６の端面４６ｂから軸方向に延びる。溝６７は、雄ネジ部６５ａを周方向に分断する。
【００７５】
溝６７に接着剤６１が設けられる。接着剤６１も、固定部の一例である。接着剤６１は、溝６７を規定する第１の外周面４６ｃと、第１の内周面４２ｃと、第１の雌ネジ部６５ｂとの間に介在する。
【００７６】
接着剤６１は、溝６７を規定する第１の外周面４６ｃと、第１の内周面４２ｃと、第１の雌ネジ部６５ｂとを互いに接着する。これにより、接着剤６１は、雄ネジ部６５ａと第１の雌ネジ部６５ｂとの相対的な回転を制限し、第１のアーマチュア４１と第２のアーマチュア４２とが軸方向に相対的に移動することを制限する。
【００７７】
以上説明された第３の実施形態の真空遮断器１０において、第１のアーマチュア４１の第１の外周面４６ｃに、軸方向に延びる雄ネジ部６５ａが設けられる。第２のアーマチュア４２の第１の内周面４２ｃに、軸方向に延びる第１の雌ネジ部６５ｂが設けられる。第１の雌ネジ部６５ｂが雄ネジ部６５ａに嵌め合わされるため、外力が作用しない場合、第１のアーマチュア４１と第２のアーマチュア４２とが軸方向に相対的に移動することが制限される。当該構成によれば、嵌り合った雄ネジ部６５ａと第１の雌ネジ部６５ｂとを相対回転させることで、第１のアーマチュア４１と第２のアーマチュア４２との取付位置を容易に調整できる。さらに、第１のアーマチュア４１と第２のアーマチュア４２とが軸方向に相対的に移動することを容易に制限できる。従って、個々の部品の寸法にばらつきが生じたとしても、電磁アクチュエータ１１の組立時に空隙Ｇの長さＬ２を容易に調整することができる。
【００７８】
接着剤６１が、第１のアーマチュア４１と第２のアーマチュア４２との間に介在し、第１のアーマチュア４１と第２のアーマチュア４２とが少なくとも軸方向に相対的に移動することを制限する。これにより、嵌り合う雄ネジ部６５ａと第１の雌ネジ部６５ｂとが例えば慣性力や電磁気的な力のような外力により相対的に回転することで空隙Ｇの長さＬ２が変化すること、が抑制される。
【００７９】
（第４の実施形態）
以下に、第４の実施形態について、図６を参照して説明する。図６は、第４の実施形態に係る真空遮断器１０を模式的に示す断面図である。図６に示すように、第４の実施形態において、第１のアーマチュア４１は、ナット７１と接着剤７２とをさらに有する。接着剤７２は、固定部の一例である。
【００８０】
第４の実施形態において、ロッド４５は、第１の部分４５ａと、第２の部分４５ｂと、第３の部分４５ｃとを有する。第１の部分４５ａは、ヨーク２１の第１の挿通孔３１ａ及び第２の挿通孔３２ｂを通される。第２の部分４５ｂは、第１の部分４５ａの端部から延び、第１の部分４５ａよりも外径が小さい。第３の部分４５ｃは、第２の部分４５ｂの端部から延び、第２の部分４５ｂよりも外径が小さい。
【００８１】
第４の実施形態において、ロッド４５の第３の部分４５ｃに、ネジ部６５の雄ネジ部６５ａが設けられる。第３の部分４５ｃの外径は、当接部材４６の第１の外周面４６ｃの外径よりも小さい。
【００８２】
当接部材４６は、軸方向に延びる略円筒状に形成され、挿通孔４６ｄが設けられる。挿通孔４６ｄは、第２の孔の一例である。挿通孔４６ｄの内径は、ロッド４５の第１の部分４５ａの外径よりも小さく、且つ第２の部分４５ｂの外径よりも大きい。
【００８３】
挿通孔４６ｄに、ロッド４５の第２の部分４５ｂが通される。これにより、ロッド４５の第１の部分４５ａの端部が、当接部材４６の当接面４６ａを支持する。軸方向において、第２の部分４５ｂの長さは、当接部材４６の長さと同じか、それよりも短い。このため、当接部材４６の端面４６ｂから、ロッド４５の第３の部分４５ｃが突出する。
【００８４】
ナット７１は、磁性体によって作られ、周方向に延びる略円環状に形成される。ナット７１は、第２の雌ネジ部６５ｃを有する。第２の雌ネジ部６５ｃは、第３のネジ部の一例である。
【００８５】
第２の雌ネジ部６５ｃは、ロッド４５の第３の部分４５ｃに設けられた雄ネジ部６５ａと嵌り合う。これにより、ナット７１とロッド４５とが軸方向に相対的に移動することが制限される。
【００８６】
ナット７１は、当接部材４６の端面４６ｂを支持する。これにより、当接部材４６は、ロッド４５の第１の部分４５ａと、ナット７１とによって挟持される。すなわち、ナット７１は、当接部材４６をロッド４５に固定する。
【００８７】
ナット７１は、第２の外周面７１ａを有する。第２の外周面７１ａは、第３の周面の一例である。第２の外周面７１ａは、軸方向に延びるとともに、径方向外側に向く略円筒状の面である。第２の外周面７１ａの外径は略一定であり、当接部材４６の第１の外周面４６ｃの外径と略等しい。なお、第２の外周面７１ａは、例えば、テーパ状のような他の形状に形成されても良い。
【００８８】
第２のアーマチュア４２において、第１の内周面４２ｃ及び開口４７のそれぞれの内径は、ロッド４５の第３の部分４５ｃに設けられた雄ネジ部６５ａの外径と略同一に設定される。このため、第１の内周面４２ｃ及び開口４７のそれぞれの内径は、当接部材４６の第１の外周面４６ｃの外径よりも小さい。
【００８９】
第２のアーマチュア４２に、凹部７５が設けられる。凹部７５は、吸引面４２ａに開口する有底の穴である。凹部７５は、開口４７に連通する。すなわち、開口４７は、凹部７５の底に開く。
【００９０】
第２のアーマチュア４２は、当該凹部７５を規定する第２の内周面４２ｄを有する。第２の内周面４２ｄは、第４の周面の一例である。第２の内周面４２ｄは、軸方向に延びるとともに、径方向内側に向く略円筒状の面である。第２の内周面４２ｄの内径は、第１の内周面４２ｃの内径よりも大きく、略一定である。なお、第２の内周面４２ｄは、例えば、テーパ状のような他の形状に形成されても良い。
【００９１】
第２のアーマチュア４２の第１の雌ネジ部６５ｂが、ロッド４５の第３の部分４５ｃの雄ネジ部６５ａに嵌め合わされる。これにより、第２のアーマチュア４２が第１のアーマチュア４１のロッド４５に取り付けられ、第１のアーマチュア４１と第２のアーマチュア４２とが軸方向に相対的に移動することが制限される。
【００９２】
第２のアーマチュア４２がロッド４５に取り付けられると、第２のアーマチュア４２の凹部７５に、ナット７１が嵌められる。このため、第２のアーマチュア４２の第２の内周面４２ｄは、ナット７１の第２の外周面７１ａに向く。第２の内周面４２ｄの内径は、例えば、第２の外周面７１ａの外径よりも僅かに大きい。
【００９３】
接着剤７２は、凹部７５に設けられ、第２のアーマチュア４２と第１のアーマチュア４１のナット７１との間に介在する。接着剤７２は、第１のアーマチュア４１と第２のアーマチュア４２とを互いに接着し、第１のアーマチュア４１と第２のアーマチュア４２とが少なくとも軸方向に相対的に移動することを制限する。
【００９４】
以上説明された第４の実施形態の電磁アクチュエータ１１において、第１のアーマチュア４１の当接部材４６は、当接面４６ａを有するとともに、挿通孔４６ｄが設けられる。挿通孔４６ｄを通るロッド４５に、雄ネジ部６５ａが設けられる。すなわち、雄ネジ部６５ａは、当接部材４６の内側を通るロッド４５に設けられる。このため、雄ネジ部６５ａの外径をより小さくすることができ、雄ネジ部６５ａ及び第１の雌ネジ部６５ｂをより容易に形成することができる。
【００９５】
ナット７１の第２の外周面７１ａは、径方向に向く。第２のアーマチュア４２は、第２の外周面７１ａに向く第２の内周面４２ｄを有する。このため、アーマチュア２３に、第２のアーマチュア４２の第１の内周面４２ｃからロッド４５へ至る磁路と、第２のアーマチュア４２の第２の内周面４２ｄから、ナット７１を通ってロッド４５へ至る磁路と、が生じる。さらに、第２の外周面７１ａと第２の内周面４２ｄとの間の距離は、軸方向における第１のアーマチュア４１と第２のアーマチュア４２との相対的な位置に依存せず、略一定である。このため、第２の外周面７１ａと第２の内周面４２ｄとの間に安定した磁路を設けることができる。以上より、電磁アクチュエータ１１が発生させる力を安定させることができる。
【００９６】
接着剤７２が、第１のアーマチュア４１と第２のアーマチュア４２との間に介在し、第１のアーマチュア４１と第２のアーマチュア４２とが少なくとも軸方向に相対的に移動することを制限する。これにより、嵌り合う雄ネジ部６５ａと第１の雌ネジ部６５ｂとが例えば慣性力や電磁気的な力のような外力により相対的に回転することで空隙Ｇの長さＬ２が変化すること、が抑制される。
【００９７】
（第５の実施形態）
以下に、第５の実施形態について、図７及び図８を参照して説明する。図７は、第５の実施形態に係る真空遮断器１０を模式的に示す断面図である。図８は、第５の実施形態の電磁アクチュエータ１１の一部を示す断面図である。
【００９８】
図７に示すように、第５の実施形態のヨーク２１は、第１のヨーク８１と、第２のヨーク８２とを有する。第１のヨーク８１は、第１の部材３１、第３の部材３３、第４の部材３４、第５の部材３５、及び第６の部材３６を含む。第２のヨーク８２は、第２の部材３２を含む。
【００９９】
第１のヨーク８１の第６の部材３６は、第１の実施形態と同じく、吸引面３６ａを有する。吸引面３６ａは、第４の吸引面の一例である。吸引面３６ａは、第３の吸引面の一例である第２のアーマチュア４２の吸引面４２ａと、軸方向において向かい合う。磁石２２は、第１のヨーク８１に設けられ、閉路位置Ｐｃに位置する第２のアーマチュア４２の吸引面４２ａを吸引面３６ａに吸引できる。
【０１００】
第１のヨーク８１の第１の部材３１に、第１の挿通孔３１ａの代わりに開口８５が設けられる。第１の部材３１は、開口８５を規定する内周面３１ｂを有する。内周面３１ｂは、第５の周面の一例である。内周面３１ｂは、軸方向に延びるとともに、径方向内側に向く略円筒状の面である。内周面３１ｂの内径は略一定である。なお、内周面３１ｂは、例えば、テーパ状のような他の形状に形成されても良い。
【０１０１】
第２のヨーク８２の第２の部材３２は、当接面３２ａと、外周面３２ｃとを有する。当接面３２ａは、第４の当接面の一例である。外周面３２ｃは、第６の周面の一例である。当接面３２ａは、第３の当接面の一例である当接部材４６の当接面４６ａと、軸方向において向かい合う。外周面３２ｃは、軸方向に延びるとともに、径方向外側に向く略円筒状の面である。
【０１０２】
第１の部材３１に設けられた開口８５に、第２の部材３２が嵌められる。このため、第２の部材３２の外周面３２ｃは、第１の部材３１の内周面３１ｂに向く。内周面３１ｂの内径は、例えば、外周面３２ｃの外径よりも僅かに大きい。
【０１０３】
図８に示すように、ヨーク２１に、ネジ部９１が設けられる。ネジ部９１は、固定部の一例である。ネジ部９１は、第１のヨーク８１に含まれる雌ネジ部９１ａと、第２のヨーク８２に含まれる雄ネジ部９１ｂとを有する。雌ネジ部９１ａは、第４のネジ部の一例である。雄ネジ部９１ｂは、第５のネジ部の一例である。
【０１０４】
雌ネジ部９１ａは、第１の部材３１の内周面３１ｂに設けられ、軸方向に延びる。雄ネジ部９１ｂは、第２の部材３２の外周面３２ｃに設けられ、軸方向に延びる。例えば、雄ネジ部９１ｂは、外周面３２ｃの窪んだ部分３２ｃａに設けられる。窪んだ部分３２ｃａは、外周面３２ｃの他の部分３２ｃｂよりも外径が小さい部分である。雄ネジ部９１ｂのネジ山の外径は、他の部分３２ｃｂの外径と略等しい。なお、雄ネジ部９１ｂは、一様な外径を有する外周面３２ｃからネジ山が突出するように設けられても良い。
【０１０５】
雌ネジ部９１ａは、雄ネジ部９１ｂに嵌め合わされる。これにより、雌ネジ部９１ａと雄ネジ部９１ｂとの相対的な回転が無い場合、第１のヨーク８１と第２のヨーク８２とが軸方向に相対的に移動することが制限される。すなわち、外周面３２ｃと内周面３１ｂとの間に位置する雌ネジ部９１ａと雄ネジ部９１ｂとが、第１のヨーク８１と第２のヨーク８２とが軸方向に相対的に移動することを制限する。
【０１０６】
外周面３２ｃの窪んだ部分３２ｃａに、溝９２が設けられる。溝９２は、例えば、軸方向に延びる。溝９２は、雄ネジ部９１ｂを周方向に分断する。溝９２に接着剤９３が設けられる。接着剤９３も、固定部の一例である。接着剤９３は、溝９２を規定する外周面３２ｃと、内周面３１ｂと、雌ネジ部９１ａとの間に介在する。
【０１０７】
接着剤９３は、溝９２を規定する外周面３２ｃと、内周面３１ｂと、雌ネジ部９１ａとを互いに接着する。これにより、接着剤９３は、雄ネジ部９１ｂと雌ネジ部９１ａとの相対的な回転を制限し、第１のヨーク８１と第２のヨーク８２とが軸方向に相対的に移動することを制限する。
【０１０８】
ネジ部９１及び接着剤９３により、第２のヨーク８２が第１のヨーク８１に固定される。これにより、ヨーク２１は、第１のヨーク８１に収容されたアーマチュア２３と相対的に、軸方向に一体的に移動可能となる。ヨーク２１及びアーマチュア２３は、第１の実施形態と同じく、開路位置Ｐｏと閉路位置Ｐｃとに、相対的に移動可能である。
【０１０９】
閉路位置Ｐｃに位置するアーマチュア２３の吸引面４２ａと第１のヨーク８１の吸引面３６ａとの間の空隙Ｇの長さＬ２は、電磁アクチュエータ１１の組立時に、例えば以下のように調整される。なお、空隙Ｇの長さＬ２の調整方法は、以下の例に限らない。
【０１１０】
まず、ヨーク２１とアーマチュア２３とがそれぞれ組み立てられる。このとき、接着剤９３はまだ設けられず、雌ネジ部９１ａと雄ネジ部９１ｂとが相対的に回転することで、第１のヨーク８１と第２のヨーク８２とが軸方向に相対的に移動可能である。
【０１１１】
次に、ロッド４５を第２の挿通孔３２ｂに通すように、アーマチュア２３をヨーク２１の内部に配置する。アーマチュア２３の当接面４６ａは、第２のヨーク８２の当接面３２ａに接触させられる。
【０１１２】
次に、雌ネジ部９１ａと雄ネジ部９１ｂとを相対的に回転させることで、第１のヨーク８１と第２のヨーク８２とを、吸引面４２ａと吸引面３６ａとの間の空隙Ｇが所定の長さＬ２となる位置に配置する。周方向において第１のヨーク８１と第２のヨーク８２とを相対的に静止させれば、第１のヨーク８１と第２のヨーク８２とが軸方向に相対的に移動することが制限される。
【０１１３】
次に、溝９２に接着剤９３を供給する。接着剤９３を固化させることで、第１のアーマチュア４１と第２のアーマチュア４２とが相対的に移動することが制限される。なお、接着剤９３の固化は、一度アーマチュア２３をヨーク２１の内部から取り除いて行われても良い。以上により、空隙Ｇの長さＬ２は、電磁アクチュエータ１１の種々の部品の寸法のばらつきに影響されることなく、所望の長さに設定される。
【０１１４】
以上説明された第５の実施形態のように、ヨーク２１に、ネジ部９１及び接着剤９３を設けることで、空隙Ｇの長さＬ２を調整可能としても良い。さらに、図７に示すように、アーマチュア２３が、第１乃至第４の実施形態と同じく、空隙Ｇの長さＬ２を調整可能な構造を有しても良い。
【０１１５】
以上の第２乃至第５の実施形態に設けられた接着剤６１，７２，９３は、例えば、磁性体の粉末を混入されることで磁性を有しても良い。この場合、電磁アクチュエータ１１の磁気回路が、接着剤６１，７２，９３を通ることが可能となる。
【０１１６】
以上の第１乃至第５の実施形態に示すように、第１のアーマチュア４１と第２のアーマチュア４２とが相対的に軸方向に移動可能な別個の部品として設けられることで、空隙Ｇの長さＬ２が調整可能となる。各実施形態において、楔４８、接着剤６１，７２，９３、及びネジ部６５，９１が固定部の一例であったが、第１のアーマチュア４１と第２のアーマチュア４２とが溶接された部分が固定部の一例であっても良い。この場合、第１のアーマチュア４１と第２のアーマチュア４２とが部分的に一体の部品となる。しかし、例えば第１のアーマチュア４１と第２のアーマチュア４２とが向かい合う第１の外周面４６ｃ及び第１の内周面４２ｃを有することで、第１のアーマチュア４１と第２のアーマチュア４２とが別個の部品であることが明らかとなる。第１のヨーク８１と第２のヨーク８２とが溶接される場合も同様である。
【０１１７】
以上説明された少なくとも一つの実施形態によれば、ヨーク又はアーマチュアに、寸法の調整が可能な構造が設けられる。これにより、個々の部品の寸法にばらつきが生じたとしても、電磁アクチュエータの組立時に、閉路位置における第２の吸引面と第１の吸引面との間の距離を容易に調整することができる。例えば、一度組み立てられた電磁アクチュエータを解体して再度組み立てるいわゆる後戻りが抑制され、電磁アクチュエータの組立性が向上する。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１９】
１０…真空遮断器、１１…電磁アクチュエータ、２１…ヨーク、２２…磁石、２３…アーマチュア、３１ｂ…内周面、３２ａ…当接面、３２ｃ…外周面、３６ａ…吸引面、４１…第１のアーマチュア、４２…第２のアーマチュア、４２ａ…吸引面、４２ｃ…第１の内周面、４２ｄ…第２の内周面、４５…ロッド、４６…当接部材、４６ａ…当接面、４６ｃ…第１の外周面、４６ｄ…挿通孔、４８…楔、５１…固定電極、５２…可動電極、６１…接着剤、６５…ネジ部、６５ａ…雄ネジ部、６５ｂ…第１の雌ネジ部、７１…ナット、７１ａ…第２の外周面、７２…接着剤、８１…第１のヨーク、８２…第２のヨーク、９１…ネジ部、９１ａ…雌ネジ部、９１ｂ…雄ネジ部、９３…接着剤、Ｐｏ…開路位置、Ｐｃ…閉路位置。
【図１】
2019029222.tif 000003
【図２】
2019029222.tif 000004
【図３】
2019029222.tif 000005
【図４】
2019029222.tif 000006
【図５】
2019029222.tif 000007
【図６】
2019029222.tif 000008
【図７】
2019029222.tif 000009
【図８】
2019029222.tif 000010